(57)【要約】【課題】  冷媒流路を制御する三方弁の駆動による騒音を最小化するように制御する冷蔵庫のバルブ制御方法を提供することを提供すること。【解決手段】  本発明による冷蔵庫のバルブ制御方法は、冷蔵室及び新鮮保存室の蒸発器側への冷媒の流入を制御するためにＡＣバルブからなる三方弁を使用する。前記三方弁の駆動により発生する騒音を低減するために、圧縮機の駆動後に所定時間が経過した時点で三方弁が駆動するように制御される。その結果、圧縮機の駆動により発生する騒音に三方弁の駆動による騒音が埋没され、使用者が感じる三方弁の騒音が低減される。【選択図】      図３
2005127707.tif 000002
【特許請求の範囲】
【請求項１】
冷却サイクルに設けられた圧縮機を駆動する圧縮機駆動工程と、
前記圧縮機の駆動開始時点から所定時間が経過すると、冷蔵室の蒸発器と新鮮保存室の蒸発器との間の冷媒流路を開閉制御するＡＣバルブである三方弁を駆動する冷媒バルブ駆動工程とを含むことを特徴する冷蔵庫のバルブ制御方法。
【発明の詳細な説明】
【技術分野】
【０００１】
本発明は、冷蔵庫に関し、より詳しくは、蒸発器に流入する冷媒流路の開閉を調整する三方弁の駆動を制御する冷蔵庫のバルブ制御方法に関する。
【背景技術】
【０００２】
以下、従来の技術による冷蔵庫のバルブ制御方法について説明する。
【０００３】
図１は、冷蔵庫の庫内温度を制御するための冷却サイクル図である。
冷蔵庫の庫内温度を制御するために、図示のような冷却サイクルを備えている。前記冷却サイクルのための制御構成は、冷媒を圧縮する圧縮機６０と、冷媒を凝縮する凝縮器１０と、冷蔵室の熱交換を行うために冷媒を蒸発する冷蔵室の蒸発器３０と、新鮮保存室の熱交換を行うために冷媒を蒸発する新鮮保存室の蒸発器４０と、冷凍室の熱交換を行うために冷媒を蒸発する冷凍室の蒸発器５０と、冷蔵室の蒸発器または新鮮保存室の蒸発器に冷媒が流入するように冷媒流路を調整する三方弁２０とを備えている。
【０００４】
前記三方弁２０がコントロールパネル(図示せず)から入力した運転モード及び温度などにより、冷媒流路の開閉を調整する過程は、マイクロコントローラ(図示せず)の制御により行われる。
【０００５】
前記冷却サイクルの流れを説明すると、先ず、圧縮機６０により冷媒が圧縮される。さらに、圧縮された冷媒は、凝縮器１０に伝達される。凝縮器１０を通過した冷媒の流れは、三方弁２０によって冷蔵室の蒸発器３０または新鮮保存室の蒸発器４０へ流れるように調整される。
【０００６】
三方弁２０が冷蔵室の蒸発器３０に流路を形成すると、前記冷蔵室の蒸発器３０に冷媒が供給される。これにより、冷蔵室の蒸発器３０は、熱交換を行い、冷蔵室のファン(図示せず)の作動により冷蔵室に冷気が供給される。
【０００７】
三方弁２０が新鮮保存室の蒸発器４０に流路を形成すると、前記新鮮保存室の蒸発器４０に冷媒が供給される。これにより、新鮮保存室の蒸発器４０は、熱交換を行い、新鮮保存室のファン(図示せず)の作動により新鮮保存室に冷気が供給される。
【０００８】
そして、前記冷蔵室の蒸発器３０や新鮮保存室の蒸発器４０に流入した冷媒は、冷凍室の蒸発器５０に流入する。前記冷凍室の蒸発器５０は、熱交換を行い、冷凍室のファン(図示せず)の作動により冷凍室に冷気が供給される。
【０００９】
前記冷凍室の蒸発器を通過した冷媒は、再び圧縮機６０に流入し、冷媒を圧縮する。さらに、圧縮された冷媒は、凝縮器１０に伝達されることにより、前述のような冷却サイクルを繰り返して行う。
【００１０】
また、三方弁２０の作動により冷蔵室及び新鮮保存室の蒸発器側のいずれかに流路が形成されると、前記冷蔵室の蒸発器３０または新鮮保存室の蒸発器４０側に冷媒が流入し、熱交換を行う。これにより、同時に冷蔵室及び新鮮保存室内に冷気が供給されることが可能となる。
【００１１】
冷却サイクルについて述べたように、凝縮器１０により凝縮された冷媒を冷蔵室及び新鮮保存室の蒸発器に供給するために、三方弁２０が駆動して冷媒流路の開閉を制御し、冷媒の流れ方向を調整する。
【００１２】
前記三方弁２０は、ＡＣ冷媒バルブとＤＣ冷媒バルブとに分けられる。前記ＡＣ冷媒バルブは、コストが安価であるが、駆動騒音が大きいという欠点がある。反面、ＤＣ冷媒バルブは、駆動騒音は少ないが、コストが高価であるという欠点があった。
以下の実施例では、前記三方弁がＡＣ冷媒バルブである場合の冷蔵庫のバルブ制御方法について説明する。
【００１３】
図２は、従来技術による冷蔵庫のバルブ制御のための作動状態図であり、図３は、従来技術による冷蔵庫のバルブ制御のための作動制御フローチャートである。
【００１４】
図示のように、従来は、冷却サイクルが実行されると、凝縮器１０を通過した冷媒は三方弁によって冷媒流路が開閉され、そして冷蔵室の蒸発器３０及び新鮮保存室の蒸発器４０に冷媒が供給される。新鮮保存室の庫内温度が不十分な状態の場合には、図示のように、新鮮保存室の蒸発器４０に冷媒が供給されるように、三方弁２０が新鮮保存室の蒸発器４０側に冷媒流路を開くように調整する。その結果、凝縮器１０を通過した冷媒が新鮮保存室の蒸発器４０側に送られる。これと共に、冷蔵室の蒸発器３０側に冷媒が流入しないように、三方弁は冷媒流路を閉じる。これにより、凝縮器１０を通過した冷媒は、冷蔵室の蒸発器３０側に流入しなくなる。このとき、新鮮保存室の蒸発器４０側に冷媒が供給され、冷蔵室の蒸発器３０側に冷媒は供給されない状態で、図１に示すように、圧縮機の駆動状態は、停止状態になる。
【００１５】
以上のように、新鮮保存室の蒸発器４０側にのみ冷媒を流入させて冷却サイクルを循環させる。その結果として、新鮮保存室の庫内温度が満足な状態である反面、冷蔵室の庫内温度が不満足な状態になると、冷蔵室の蒸発器３０側に冷媒が流入するように冷却サイクルが制御される。そこで、三方弁２０は、新鮮保存室の蒸発器４０側に開いている冷媒流路を冷蔵室の蒸発器３０側に開く。このとき、前記三方弁２０の作動により、非常に大きい駆動騒音が発生する。
【００１６】
すなわち、冷蔵室の庫内温度が不十分な状態の場合、図１で説明したように、冷蔵室の蒸発器に冷媒が供給されるように、三方弁２０が冷蔵室の蒸発器３０側に冷媒流路を開く。その結果、凝縮器１０を通過した冷媒が冷蔵室の蒸発器３０側に送られる。これと共に、新鮮保存室の蒸発器４０側に冷媒が流入しないように、三方弁２０は、新鮮保存室の蒸発器４０側の冷媒流路を閉じる。
【００１７】
従って、凝縮器１０を通過した冷媒は、新鮮保存室の蒸発器４０側に流入しなくなる。このとき、冷蔵室の蒸発器３０側に冷媒が供給され、新鮮保存室の蒸発器４０側に冷媒が供給されない状態で、図１に示すように、圧縮機は駆動状態になる。
【００１８】
すなわち、図２に示すように、従来は圧縮機が駆動され(ステップＳ１００)、前述のように、圧縮機が駆動される時点から直ちに三方弁２０が冷媒流路を調整する(ステップＳ１１０)。すなわち、新鮮保存室の蒸発器４０側に開いている状態であれば、冷蔵室の蒸発器３０側に冷媒流路を開き、冷蔵室の蒸発器３０側に開いている状態であれば、新鮮保存室の蒸発器４０側に冷媒流路を開く。
【００１９】
しかし、前述のように、三方弁２０の冷媒流路が新鮮保存室の蒸発器４０側から冷蔵室の蒸発器３０側に開くように制御するには、三方弁２０が冷媒流路を切り替えることによって圧縮機が駆動される。このため、三方弁２０の駆動騒音に圧縮機の駆動騒音が加わり、使用者が非常に大きい騒音を感じてしまう。
【００２０】
このように、従来は三方弁が冷媒流路を開閉制御する度に、大きい騒音が発生するという欠点があった。その結果、従来は冷媒流路を調整するための冷媒バルブの駆動による騒音で使用者に不快感を与えていた。
【発明の開示】
【発明が解決しようとする課題】
【００２１】
本発明は、上記問題点に鑑み、冷媒流路を制御する三方弁の駆動による騒音を最小化するように制御する冷蔵庫のバルブ制御方法を提供することを目的とする。
【課題を解決するための手段】
【００２２】
上記の目的を達成するため、本発明による冷蔵庫のバルブ制御方法は、冷却サイクルに設けられた圧縮機を駆動する圧縮機駆動工程と、前記圧縮機の駆動開始時点から所定時間が経過すると、冷蔵室の蒸発器と新鮮保存室の蒸発器との間の冷媒流路を開閉制御するＡＣバルブである三方弁を駆動する冷媒バルブ駆動工程とを含むことを特徴する。
【発明の効果】
【００２３】
このような本発明による冷蔵庫のバルブ制御方法によれば、冷蔵室の蒸発器および新鮮保存室の蒸発器に冷媒が流入するように、冷媒流路を開閉制御する三方弁を駆動するに当たって、前記三方弁の駆動による騒音を低減するために、圧縮機の駆動中にのみ三方弁を駆動させる。これにより、本発明は、ＡＣバルブからなる三方弁を使用することにより発生する騒音が、圧縮機の駆動中に発生する騒音に埋没され、結果的に、使用者が感じる騒音を低減できるという効果が期待できる。また、本発明で使用される三方弁は、ＡＣバルブであり、ＤＣバルブよりも安価であることから、前記三方弁を使用する冷蔵庫の製造コストを低減できるという効果も期待できる。
【発明を実施するための最良の形態】
【００２４】
以下、本発明の好ましい実施の形態を、添付図面に基づいて詳しく説明する。
【００２５】
図４は、本発明による冷蔵庫のバルブ制御のための作動状態図であり、図５は、本発明による冷蔵庫のバルブ制御のための作動制御フローチャートである。
【００２６】
本発明は、図示のように、冷却サイクルが実行される。圧縮機６０により圧縮された冷媒は、凝縮器１０を通過し、三方弁２０により冷媒流路が調整され、冷蔵室の蒸発器３０及び新鮮保存室の蒸発器４０側に冷媒が供給される。
【００２７】
前記新鮮保存室の庫内温度が不満足な状態の場合、図示のように、新鮮保存室の蒸発器に冷媒が供給されるように、三方弁２０が新鮮保存室の蒸発器側に冷媒流路を開く。その結果、凝縮器１０を通過した冷媒が新鮮保存室の蒸発器４０側に送られる。
【００２８】
これと共に、冷蔵室の蒸発器３０側に冷媒が流入しないように、冷蔵室の蒸発器側への三方弁２０の冷媒流路が閉じられる。これにより、凝縮器１０を通過した冷媒は、冷蔵室の蒸発器３０側に流入しなくなる。このとき、新鮮保存室の蒸発器４０側に冷媒が供給され、冷蔵室の蒸発器３０側に冷媒が供給されない状態では、図１に示すように、圧縮機の駆動状態は、停止状態である。
【００２９】
しかし、冷蔵室の庫内温度が不満足な状態の場合、図３に示すように、冷蔵室の蒸発器に冷媒が供給されるように、三方弁２０が冷蔵室の蒸発器３０側に冷媒流路を開く。その結果、凝縮器１０を通過した冷媒が冷蔵室の蒸発器３０側に送られる。
【００３０】
これと共に、新鮮保存室の蒸発器４０側に冷媒が流入しないように三方弁２０は、冷媒流路を閉じる。その結果、凝縮器１０を通過した冷媒は、新鮮保存室の蒸発器４０側に流入しなくなる。このとき、冷蔵室の蒸発器３０側に冷媒が供給され、新鮮保存室の蒸発器４０側に冷媒が供給されない状態では、図３に示すように、圧縮機は、駆動状態にある。
【００３１】
しかし、本発明では、図４に示すように、三方弁２０の冷媒流路を調整するに当たって、圧縮機が駆動された後、所定時間(Ａ時間)が経過した時点で三方弁２０の冷媒流路が調整される。これにより、既に圧縮機の駆動により発生する騒音に前記三方弁２０の駆動により発生する騒音が埋められることになる。
【００３２】
すなわち、本発明では、圧縮機の駆動が開始された後、前述のように、三方弁２０の駆動開始時点を所定の時間遅延させ、冷媒流路を調整する。これにより、圧縮機の駆動により発生する騒音に三方弁２０の駆動騒音が埋没され、使用者が感じる騒音の大きさが低減する。
【００３３】
図５に示すように、本発明では、先ず、圧縮機が駆動され(ステップＳ２００)、かつ圧縮機の駆動開始時点から所定時間が経過した後(ステップＳ２１０)、三方弁２０が冷媒流路を調整するために駆動する(ステップＳ２２０)。すなわち、新鮮保存室の蒸発器４０側に開いている状態であれば、冷蔵室の蒸発器３０側に開くように冷媒流路が調整され、冷蔵室の蒸発器３０側に開いている状態であれば、新鮮保存室の蒸発器４０側に開くように冷媒流路が調整される。
【００３４】
以上述べたように、本発明は、各蒸発器に流入する冷媒の流れを調整するために、圧縮機の駆動開始時点から所定時間が経過した後、三方弁が駆動するように制御することを基本的な技術的思想としている。
【００３５】
以上のように、本発明は、圧縮機が駆動した後、所定時間が経過すると、冷蔵室の蒸発器及び新鮮保存室の蒸発器の冷媒流路を開閉するために、ＡＣ冷媒バルブの切り替え運転を行う。これにより、圧縮機の駆動による騒音でＡＣ冷媒バルブの駆動騒音が埋没される現象が発生し、ＡＣ冷媒バルブの作動による騒音を低減できる効果が期待できる。
【００３６】
以上、実施形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００３７】
【図１】従来技術による冷蔵庫の庫内温度を制御するための冷却サイクル図である。
【図２】従来技術による冷蔵庫のバルブ制御のための作動状態図である。
【図３】従来技術による冷蔵庫のバルブ制御のための作動制御フローチャートである。
【図４】本発明による冷蔵庫のバルブ制御のための作動状態図である。
【図５】本発明による冷蔵庫のバルブ制御のための作動制御フローチャートである。
【符号の説明】
【００３８】
１０    凝縮器
２０    三方弁
３０    冷蔵室の蒸発器
４０    新鮮保存室の蒸発器
５０    冷凍室の蒸発器
６０    圧縮機
【図１】
2005127707.tif 000003
【図２】
2005127707.tif 000004
【図３】
2005127707.tif 000005
【図４】
2005127707.tif 000006
【図５】
2005127707.tif 000007